(57)【要約】【課題】キャリッジに対して液体貯留部を着脱するに際し、係合部材あるいは液体貯留部のどの部分に手指を掛ければ良いのかを認識しやすくする。【解決手段】画像形成装置は、キャリッジに対して第１位置と第２位置との間で移動可能であり、且つ、第１指掛け部を有する係合部材と、係合部材が第１位置に移動することによりキャリッジに固定され、係合部材が第２位置に移動することによりキャリッジから取り外し可能となるものであって、第２指掛け部を有する液体貯留部と、係合部材が第１位置から第２位置へと移動する向きから鉛直方向成分を除いた向きを第１向きとし、鉛直方向において上から下に向かう向きを第２向きと定義したとき、第２指掛け部は、第１向きに凹む凹部及び第２向きに凹む凹部のうち少なくとも何れか一方の凹部を備えていることを特徴とする。【選択図】図１
2020163712.tif 000002
【特許請求の範囲】
【請求項１】
キャリッジに対して第１位置と第２位置との間で移動可能であり、且つ、第１指掛け部を有する係合部材と、
前記係合部材が前記第１位置に移動することにより前記キャリッジに固定され、前記係合部材が前記第２位置に移動することにより前記キャリッジから取り外し可能となるものであって、第２指掛け部を有する液体貯留部と、
前記係合部材が前記第１位置から前記第２位置へと移動する向きから鉛直方向成分を除いた向きを第１向きとし、鉛直方向において上から下に向かう向きを第２向きと定義したとき、前記第２指掛け部は、前記第１向きに凹む凹部及び前記第２向きに凹む凹部のうち少なくとも何れか一方の凹部を備えていることを特徴とする画像形成装置。
【請求項２】
前記第２指掛け部は、前記第１向きの上流側における前記液体貯留部の端部に設けられていることを特徴とする請求項１に記載の画像形成装置。
【請求項３】
前記第１向き及び前記第２向きに直交する方向を第３方向と定義したとき、
前記第２指掛け部の前記第３方向に沿う寸法は、前記第１指掛け部の前記第３方向に沿う寸法よりも大きいことを特徴とする請求項１または２に記載の画像形成装置。
【請求項４】
前記第２指掛け部は、前記第１向きに凹み、且つ、前記第２向きとは反対向きに突出することを特徴とする請求項１から３の何れか１項に記載の画像形成装置。
【請求項５】
前記液体貯留部は、本体部と蓋部とを有しており、
前記第２指掛け部は、前記本体部及び前記蓋部のうち少なくとも何れか一方に設けられていることを特徴とする請求項１から４の何れか１項に記載の画像形成装置。
【請求項６】
複数の前記液体貯留部を備え、
前記第２指掛け部は、複数の前記液体貯留部のうち少なくとも何れか１つに設けられていることを特徴とする請求項１から５の何れか１項に記載の画像形成装置。
【請求項７】
複数の前記液体貯留部のうち少なくとも１つの形状が他の液体貯留部の形状と異なることを特徴とする請求項６に記載の画像形成装置。
【請求項８】
前記係合部材を複数備え、
複数の前記係合部材のうち少なくとも１つの形状が他の係合部材の形状と異なることを特徴とする請求項６または７に記載の画像形成装置。
【請求項９】
前記第１向き及び前記第２向きに直交する方向を第３方向と定義したとき、
複数の前記係合部材のうち隣り合う２つの前記係合部材は、それぞれ、前記第３方向において他方の前記係合部材側に前記第１指掛け部を有していることを特徴とする請求項６から８の何れか１項に記載の画像形成装置。
【請求項１０】
前記第１向き及び前記第２向きに直交する方向を第３方向と定義したとき、
複数の前記液体貯留部のうち隣り合う２つの前記液体貯留部は、それぞれ、前記第３方向において他方の前記液体貯留部側に前記第２指掛け部を有していることを特徴とする請求項６から９の何れか１項に記載の画像形成装置。
【請求項１１】
複数の前記係合部材のうち少なくとも何れか１つは、前記第１指掛け部よりも前記第１向きの上流側となる部分に第３指掛け部を有し、
前記第３指掛け部は、前記第１向きに凹む凹部であることを特徴とする請求項６から１０の何れか１項に記載の画像形成装置。
【請求項１２】
キャリッジに対して第１位置と第２位置との間で移動可能であり、且つ、第１指掛け部及び第２指掛け部を有する係合部材と、
前記係合部材が前記第１位置に移動することにより前記キャリッジに固定され、前記係合部材が前記第２位置に移動することにより前記キャリッジから取り外し可能となる液体貯留部と、
前記係合部材が前記第１位置から前記第２位置へと移動する向きから鉛直方向成分を除いた向きを第１向きと定義したとき、前記第２指掛け部は、前記第１向きに凹む凹部を備えていることを特徴とする画像形成装置。
【請求項１３】
前記第２指掛け部は、前記第１向きの上流側における前記係合部材の端部に設けられていることを特徴とする請求項１２に記載の画像形成装置。
【請求項１４】
前記第１向き及び前記第２向きに直交する方向を第３方向と定義したとき、
前記第２指掛け部の前記第１向きに沿う寸法は、前記第１指掛け部の前記第１向きに沿う寸法よりも大きいことを特徴とする請求項１２または１３に記載の画像形成装置。
【請求項１５】
複数の前記係合部材を備え、
前記第２指掛け部は、複数の前記係合部材のうち少なくとも何れか１つに設けられていることを特徴とする請求項１２から１４の何れか１項に記載の画像形成装置。
【請求項１６】
複数の前記係合部材のうち少なくとも１つの形状が他の係合部材の形状と異なることを特徴とする請求項１５に記載の画像形成装置。
【請求項１７】
前記第１向き及び前記第２向きに直交する方向を第３方向と定義したとき、
複数の前記係合部材のうち隣り合う２つの前記係合部材は、それぞれ、前記第３方向において他方の前記係合部材側に前記第１指掛け部を有していることを特徴とする請求項１２から１６の何れか１項に記載の画像形成装置。
【請求項１８】
前記第１向き及び前記第２向きに直交する方向を第３方向と定義したとき、
複数の前記係合部材のうち隣り合う２つの前記係合部材は、それぞれ、前記第３方向において他方の前記係合部材側に前記第２指掛け部を有していることを特徴とする請求項１２から１７の何れか１項に記載の画像形成装置。
【請求項１９】
複数の前記液体貯留部を備え、
複数の前記液体貯留部のうち少なくとも何れか１つは、前記第１指掛け部よりも前記第１向きの上流側となる部分に第３指掛け部を有し、
前記第３指掛け部は、前記第１向きに凹む凹部及び前記第２向きに窪む凹部のうち少なくとも何れか一方の凹部を備えていることを特徴とする請求項１２から１８の何れか１項に記載の画像形成装置。
【発明の詳細な説明】
【技術分野】
【０００１】
本開示は、液体貯留部を着脱可能に備える画像形成装置に関する。
【背景技術】
【０００２】
従来、例えばインクカートリッジなどの液体貯留部を着脱可能に備える、例えば印刷装置などの画像形成装置が知られている。この種の画像形成装置として、例えば、特許文献１に開示されている装置は、左右方向に往復移動可能なキャリッジを備えており、このキャリッジに対し、複数の液体貯留部を着脱可能に固定される構造となっている。
【先行技術文献】
【特許文献】
【０００３】
【特許文献１】特開２０１４−２４０１８６号公報
【発明の概要】
【発明が解決しようとする課題】
【０００４】
ところで、この種の画像形成装置においては、キャリッジに装着された液体貯留部を固定するためのロック部材を係合部材として備えたものが考えられている。このような係合部材を備える画像形成装置において、キャリッジに液体貯留部を取り付ける場合には、ユーザは、係合部材を開位置に移動させて液体貯留部をキャリッジ上に載置し、係合部材の端部と液体貯留部の端部とを手指で挟持しながら係合部材を閉位置に移動させることで、液体貯留部をキャリッジに固定する。一方、キャリッジから液体貯留部を取り外す場合には、ユーザは、係合部材を開位置に移動させて当該係合部材による液体貯留部の固定状態を解除し、液体貯留部をキャリッジから取り外す。
【０００５】
しかしながら、このような係合部材を備える画像形成装置においては、キャリッジに対して液体貯留部を着脱するに際し、係合部材あるいは液体貯留部のどの部分に手指を掛ければ良いのかを直感的に認識することができないという課題がある。また、キャリッジに対して液体貯留部を着脱する際の操作性が悪いという課題がある。
【０００６】
本開示は上記事情に鑑みてなされたものであり、その目的は、キャリッジに対して液体貯留部を着脱するに際し、係合部材あるいは液体貯留部のどの部分に手指を掛ければ良いのかを認識しやすでき、また、操作性の向上を図ることができる画像形成装置を提供することである。
【課題を解決するための手段】
【０００７】
本開示に係る第１形態の画像形成装置は、キャリッジに対して第１位置と第２位置との間で移動可能であり、且つ、第１指掛け部を有する係合部材と、前記係合部材が前記第１位置に移動することにより前記キャリッジに固定され、前記係合部材が前記第２位置に移動することにより前記キャリッジから取り外し可能となるものであって、第２指掛け部を有する液体貯留部と、前記係合部材が前記第１位置から前記第２位置へと移動する向きから鉛直方向成分を除いた向きを第１向きとし、鉛直方向において上から下に向かう向きを第２向きと定義したとき、前記第２指掛け部は、前記第１向きに凹む凹部及び前記第２向きに凹む凹部のうち少なくとも何れか一方の凹部を備えていることを特徴とする。
【０００８】
また、本開示に係る第２形態の画像形成装置は、キャリッジに対して第１位置と第２位置との間で移動可能であり、且つ、第１指掛け部及び第２指掛け部を有する係合部材と、前記係合部材が前記第１位置に移動することにより前記キャリッジに固定され、前記係合部材が前記第２位置に移動することにより前記キャリッジから取り外し可能となる液体貯留部と、前記係合部材が前記第１位置から前記第２位置へと移動する向きから鉛直方向成分を除いた向きを第１向きと定義したとき、前記第２指掛け部は、前記第１向きに凹む凹部を備えていることを特徴とする。
【０００９】
本開示に係る第１形態の画像形成装置によれば、係合部材に第１指掛け部が設けられ、液体貯留部に第２指掛け部が設けられていることにより、キャリッジに対して液体貯留部を取り付ける場合には、使用者は、係合部材の第１指掛け部及び液体貯留部の第２指掛け部に手指を掛ければ良いことを直感的に認識することができる。さらに、キャリッジに対して液体貯留部を取り付ける際の操作性を向上することができる。
【００１０】
また、本開示に係る第２形態の画像形成装置によれば、係合部材に第２指掛け部が設けられていることにより、キャリッジから液体貯留部を取り外す場合には、使用者は、係合部材の第２指掛け部に手指を掛ければ良いことを直感的に認識することができる。さらに、キャリッジから液体貯留部を取り外す際の操作性を向上することができる。
【図面の簡単な説明】
【００１１】
【図１】本開示に係る画像形成装置の構成例を概略的に示すものであり、ロック部材が閉位置に移動した状態例を示す平面図
【図２】本開示に係る画像形成装置の構成例を概略的に示すものであり、ロック部材が開位置に移動した状態例を示す平面図
【図３】本開示に係るキャリッジ及びロック部材の構成例を概略的に示す側面図
【図４】本開示に係る画像形成装置の変形例を概略的に示す平面図（その１）
【図５】本開示に係る画像形成装置の変形例を概略的に示す平面図（その２）
【図６】本開示に係る液体貯留部の変形例を概略的に示す正面図
【図７】本開示に係る液体貯留部の複数の変形例を概略的に示す図
【図８】本開示に係る液体貯留部の変形例を概略的に示す斜視図
【図９】本開示に係る液体貯留部及び係合部材の変形例を概略的に示す平面図（その１）
【図１０】本開示に係る液体貯留部及び係合部材の複数の変形例を概略的に示す図（その１）
【図１１】本開示に係る液体貯留部及び係合部材の変形例を概略的に示す平面図（その２）
【図１２】本開示に係る液体貯留部及び係合部材の変形例を概略的に示す平面図（その３）
【図１３】本開示に係る液体貯留部及び係合部材の変形例を概略的に示す平面図（その４）
【図１４】本開示に係る液体貯留部及び係合部材の変形例を概略的に示す平面図（その５）
【図１５】本開示に係る液体貯留部及び係合部材の変形例を概略的に示す平面図（その６）
【図１６】本開示に係る液体貯留部及び係合部材の変形例を概略的に示す平面図（その７）
【図１７】本開示に係る液体貯留部及び係合部材の変形例を概略的に示す平面図（その８）
【図１８】本開示に係る液体貯留部及び係合部材の複数の変形例を概略的に示す図（その２）
【図１９】本開示に係る液体貯留部及び係合部材の変形例を概略的に示す平面図（その９）
【図２０】本開示に係る液体貯留部及び係合部材の変形例を概略的に示す平面図（その１０）
【発明を実施するための形態】
【００１２】
以下、本開示の画像形成装置に係る一実施形態について図面を参照しながら説明する。図１及び図２に例示する画像形成装置１は、例えば、シートなどの画像形成対象物に対し、液体の一例であるインクを吐出することにより画像を形成する装置、いわゆる印刷装置である。画像形成装置１は、その外郭を構成するほぼ矩形箱状の筐体２の内部に、キャリッジ３などを備えている。キャリッジ３は、筐体２の内部に設けられている図示しない周知のキャリッジ移動機構により、この場合、筐体２の左右方向に沿って、破線矢印Ａで示すように往復移動可能に設けられている。
【００１３】
キャリッジ３には、複数、この場合、２つインクカートリッジ４が着脱可能に取り付けられている。筐体２の上面には、開口部２ａ及びこの開口部２ａを開閉する図示しない蓋部材が設けられている。使用者は、この蓋部材を開くことにより、開口部２ａを介してインクカートリッジ４の交換などのメンテナンスを行うことができる。
【００１４】
インクカートリッジ４は、液体貯留部の一例である。この場合、一方のインクカートリッジ４は、液体の一例であるブラックインクを貯留している。また、他方のインクカートリッジ４は、何れも液体の一例であるシアンインク、マゼンダインク、イエローインクを貯留している。この場合、ブラックインクを貯留するインクカートリッジ４は、画像形成装置１の正面側から見て、キャリッジ３の右側に配置されている。一方、シアンインク、マゼンダインク、イエローインクを貯留するインクカートリッジ４は、画像形成装置１の正面側から見て、キャリッジ３の左側に配置されている。なお、画像形成装置１は、キャリッジ３の右側にシアンインク、マゼンダインク、イエローインクを貯留するインクカートリッジ４、左側にブラックインクを貯留するインクカートリッジ４を配置する構成としてもよい。
【００１５】
画像形成装置１は、さらに、キャリッジ３にインクカートリッジ４を固定するためのロック部材５を備えている。ロック部材５は、係合部材の一例である。この場合、ロック部材５は、キャリッジ３の後端部の上部において、破線矢印Ｂで示すように前後方向に移動可能に設けられている。ロック部材５は、ユーザによる手動操作によって移動可能となっている。なお、ロック部材５は、図１に例示する閉位置と図２に例示する開位置とに移動可能に構成されている。図１に例示する閉位置は、第１位置の一例であり、図２に例示する開位置は、第２位置の一例である。また、図３に例示するように、ロック部材５は、キャリッジ３の後端部において上下方向に回動可能に設けられており、これにより、図１に例示する閉位置と図２に例示する開位置との間で移動可能となっている。
【００１６】
以下、ロック部材５が閉位置から開位置へと移動する向きから鉛直方向成分を除いた向き、この場合、画像形成装置１の前後方向を第１向きと定義する。また、画像形成装置１の前側から後側に向かう向きを第１向きのプラス側、後側から前側に向かう向きを第１向きのマイナス側と定義する。また、鉛直方向において上から下に向かう向き、この場合、画像形成装置１の上側から下側に向かう向きを第２向きと定義する。また、画像形成装置１の上側から下側に向かう向きを第２向きのプラス側、下側から上側に向かう向きを第２向きのマイナス側と定義する。また、第１向き及び第２向きの双方に直交する方向、この場合、画像形成装置１の左右方向を第３方向と定義する。また、画像形成装置１の右側から左側に向かう向きを第３方向のプラス側、左側から右側に向かう向きを第３方向のマイナス側と定義する。なお、画像形成装置１の左右方向は、当該画像形成装置１の前方に存在する使用者から見て、左方を左側、右方を右側と定義する。
【００１７】
以上のように方向が定義される画像形成装置１において、閉位置に移動したロック部材５は、キャリッジ３上に載置されたインクカートリッジ４の後端部の上部に係合して、キャリッジ３に対しインクカートリッジ４を固定する。一方、開位置に移動したロック部材５は、キャリッジ３に対するインクカートリッジ４の係合状態、換言すれば、固定状態を解除する。これにより、インクカートリッジ４は、キャリッジ３から取り外し可能な状態となる。
【００１８】
ロック部材５の一端部、この場合、後端部には、第１指掛け部５１が設けられている。この場合、第１指掛け部５１は、後側から前側に向かって滑らかな円弧状に切り欠かれた凹部により構成されている。つまり、第１指掛け部は、ロック部材５の第１向きプラス側の端部において、第１向きマイナス側に窪む凹部として構成されている。また、第１指掛け部５１は、ロック部材５の後端部の左右方向のほぼ中央部、つまり、第３方向におけるほぼ中央部に設けられている。
【００１９】
一方、インクカートリッジ４の前端部の上部には、第２指掛け部４２が設けられている。即ち、第２指掛け部４２は、インクカートリッジ４の第１指掛け部５１とは反対側の端部となる前端部に設けられている。換言すれば、第２指掛け部４２は、第１向きプラス側とは反対側となるマイナス側におけるインクカートリッジ４の端部において、第１向きマイナス側からプラス側に窪む凹部として構成されている。この場合、第２指掛け部４２は、インクカートリッジ４の上面から上方に突出する凸部、いわゆるリブにより構成されている。また、第２指掛け部４２の一部、この場合、キャリッジ３に取り付けられた状態で左右方向つまり第３方向のほぼ中央部となる部分には、前側から後側に向かって滑らかな円弧状に形成された凹部４２ａが設けられている。即ち、凹部４２ａは、第１向きマイナス側からプラス側に向かって窪む凹部となっている。また、第２指掛け部４２は、その一部である凹部４２ａが第１向きプラス側に凹み、且つ、その全体が第２向きプラス側とは反対側つまりマイナス側に突出するリブ状の構成となっている。
【００２０】
画像形成装置１において、ロック部材５側の第１指掛け部５１とインクカートリッジ４側の第２指掛け部４２とは、前後方向において相互に対向した状態となっている。なお、画像形成装置１は、ロック部材５側の第１指掛け部５１とインクカートリッジ４側の第２指掛け部４２とを左右方向にずれた位置に設けた構成としてもよい。
【００２１】
本開示に係る画像形成装置１によれば、ロック部材５には第１指掛け部５１が設けられており、一方、インクカートリッジ４の第１指掛け部５１とは反対側の端部には第２指掛け部４２が設けられている。この構成によれば、ユーザは、キャリッジ３にインクカートリッジ４を取り付ける場合には、開位置に移動しているロック部材５の第１指掛け部５１とインクカートリッジ４の第２指掛け部４２とに手指を掛けることで、ロック部材５の後端部側とインクカートリッジ４の前端部側とを手指で適切に挟持しながら、ロック部材５を閉位置に移動させることができる。つまり、インクカートリッジ４をキャリッジ３にロックすることができる。よって、インクカートリッジ４の取り付け作業を容易に行うことができる。
【００２２】
そして、キャリッジ３に対してインクカートリッジ４を取り付けるに際し、ユーザは、何れも円弧状の第１指掛け部５１及び第２指掛け部４２に手指を掛ければ良いことを直感的に認識することができる。よって、キャリッジ３に対してインクカートリッジ４を取り付けるに際し、ロック部材５及びインクカートリッジ４のどの部分に手指を掛ければ良いのかを認識しやすくすることができる。
【００２３】
さらに、図４に例示するように、画像形成装置１は、ロック部材５の他端部、この場合、前端部に第２指掛け部５２を設けた構成としてもよい。換言すれば、画像形成装置１は、第１向きマイナス側におけるロック部材５の端部に第２指掛け部５２を設けた構成としてもよい。この場合、第２指掛け部５２は、前側から後側に向かって滑らかな円弧状に切り欠かれた凹部により構成されている。即ち、第２指掛け部５２は、第１向きマイナス側からプラス側に窪む凹部として構成されている。また、第２指掛け部５２は、ロック部材５の前端部の左右方向つまり第３方向のほぼ中央部に設けられている。なお、第２指掛け部５２は、第３指掛け部の一例でもある。
【００２４】
この構成によれば、ユーザは、キャリッジ３からインクカートリッジ４を取り外す場合には、第２指掛け部５２に手指を掛けてロック部材５を開位置に移動させることで、ロック部材５によるインクカートリッジ４の固定状態を容易に解除することができる。よって、インクカートリッジ４の取り外し作業を容易に行うことができる。
【００２５】
そして、キャリッジ３からインクカートリッジ４を取り外すに際し、ユーザは、円弧状の第２指掛け部５２に手指を掛ければ良いことを直感的に認識することができる。よって、キャリッジ３からインクカートリッジ４を取り外すに際し、ロック部材５のどの部分に手指を掛ければ良いのかを認識しやすくすることができる。
【００２６】
以上は、本開示の第２指掛け部に係る基本的構成例について説明した。次に、本開示の第２指掛け部に係る変形例について順に説明する。
【００２７】
図５に例示するように、インクカートリッジ４は、第１指掛け部５１とは反対側の端部に、例えば凹部により構成される第２指掛け部１４２を備える構成としてもよい。この構成によっても、キャリッジ３に対してインクカートリッジ４を取り付けるに際し、ユーザは、円弧状の第２指掛け部１４２に手指を掛ければ良いことを直感的に認識することができる。よって、キャリッジ３に対してインクカートリッジ４を取り付けるに際し、インクカートリッジ４のどの部分に手指を掛ければ良いのかを認識しやすくすることができる。
【００２８】
また、図６に例示するように、インクカートリッジ４は、カートリッジ本体部４ａとカートリッジ蓋部４ｂとを組み合わせた構成となっている。そのため、第２指掛け部１４２は、カートリッジ本体部４ａ及びカートリッジ蓋部４ｂの双方にわたって設けるようにしてもよいし、図示はしないが、カートリッジ本体部４ａのみ、または、カートリッジ蓋部４ｂのみに設けるようにしてもよい。なお、カートリッジ本体部４ａは、インクを貯留する主体となるタンク部や、インクを吐出するノズル部などを備える構成要素である。一方、カートリッジ蓋部４ｂは、このカートリッジ本体部４ａの開口を閉塞する構成要素である。
【００２９】
また、インクカートリッジ４は、第１指掛け部５１とは反対側の端部に、例えば凸部により構成される第２指掛け部を備える構成としてもよい。
【００３０】
なお、本開示は、上述した一実施形態に限定されるものではなく、その要旨を逸脱しない範囲で様々な変形、拡張が可能である。例えば、図７に例示するように、第２指掛け部の形状パターンは、種々の形状パターンを採用することができる。ここで、パターンＡは、前側から後側に向かって楔状に形成された凹部により第２指掛け部を構成するパターンである。パターンＢは、前側から後側に向かって段状に形成された凹部により第２指掛け部を構成するパターンである。パターンＣは、前側から後側に向かって滑らかな円弧状に形成された凹部により第２指掛け部を構成するパターンにおいて、その凹部の途中が分断されているパターンである。パターンＤは、前側から後側に向かって楔状に形成された凹部により第２指掛け部を構成するパターンにおいて、その凹部の途中が分断されているパターンである。パターンＥは、前側から後側に向かって段状に形成された凹部により第２指掛け部を構成するパターンにおいて、その凹部の途中が分断されているパターンである。
【００３１】
なお、本発明者によれば、第２指掛け部の形状が滑らかであるほど、その操作性が高まるという検証結果が得られている。また、途中で分断されたものよりも全体が連続している第２指掛け部の方が、その操作性が高まるという検証結果が得られている。その他、図示はしないが、第２指掛け部の構成パターンは、ユーザの手指を掛けることができる形状、より好ましくは、手指を掛ける部分であることが直感的に認識でき、また、実際に手指を掛けやすい形状であれば、種々の形状を採用することができる。また、ロック部材５の第２指掛け部５２についても、同様に、本開示の要旨を逸脱しない範囲で種々の形状を採用することができる。また、ロック部材５の第１指掛け部５１についても、同様に、本開示の要旨を逸脱しない範囲で種々の形状を採用することができる。
【００３２】
また、第１指掛け部および第２指掛け部は、凹部を複数備える構成としてもよいし、凸部を複数備える構成としてもよいし、凹部と凸部が混在した構成としてもよい。また、第１指掛け部および第２指掛け部は、例えば、波形状、ジグザグ形状などにしてもよい。
【００３３】
また、インクカートリッジ４は、例えば、貯留するインクの種類、貯留するインクの容量などに応じて、第１指掛け部あるいは第２指掛け部の形状を異ならせるようにしてもよい。
【００３４】
また、画像形成装置１は、３つ以上の複数のインクカートリッジ４を備える構成としてもよい。また、本開示に係る技術思想は、インクによって画像を形成する装置に限らず、インク以外の液体によって画像を形成する装置にも適用することが可能である。
【００３５】
また、図８に例示するように、インクカートリッジ４は、第２向きプラス側つまり下側に窪む凹部からなる第２指掛け部２４２を備える構成としてもよい。この構成によっても、キャリッジ３に対してインクカートリッジ４を取り付けるに際し、ユーザは、第２指掛け部２４２に手指を掛ければ良いことを直感的に認識することができる。よって、キャリッジ３に対してインクカートリッジ４を取り付けるに際し、インクカートリッジ４のどの部分に手指を掛ければ良いのかを認識しやすくすることができる。
【００３６】
また、図９に例示するように、インクカートリッジ４は、第２指掛け部１４２の第３方向つまり左右方向に沿う寸法Ｓ１が第１指掛け部５１の第３方向に沿う寸法Ｓ２よりも大きくした構成としてもよい。この構成によれば、ユーザは、より大きく形成されている第２指掛け部１４２に親指を掛けやすく、従って、キャリッジ３に対するインクカートリッジ４の取り付けを一層容易に行うことができる。なお、図示は省略するが、インクカートリッジ４は、第１指掛け部５１の第３方向に沿う寸法が第２指掛け部１４２の第１向きに沿う寸法よりも大きくした構成としてもよい。
【００３７】
また、図１０のパターンＡ〜Ｆに例示するように、画像形成装置１は、複数のインクカートリッジ４を備える場合には、第１指掛け部５１は、複数のロック部材５のうち少なくとも何れか１つに設け、第２指掛け部１４２は、複数のインクカートリッジ４のうち少なくとも何れか１つに設けた構成としてもよい。
【００３８】
また、図１１に例示するように、画像形成装置１は、複数のインクカートリッジ４の大きさや形状が異なる構成としてもよい。この場合、第２指掛け部１４２についても、その形状、大きさ、位置などを適宜変更して設けることができる。
【００３９】
また、図１２に例示するように、画像形成装置１は、複数のロック部材５の大きさや形状が異なる構成としてもよい。この場合、第１指掛け部５１についても、その形状、大きさ、位置などを適宜変更して設けることができる。
【００４０】
また、図１３に例示するように、複数のロック部材５のうち隣り合う２つのロック部材５は、それぞれ、他方のロック部材５側つまり内側に第１指掛け部５１を有している構成としてもよい。この構成によれば、ユーザは、２つのロック部材５を指一本で操作することが可能である。
【００４１】
また、図１４に例示するように、複数のロック部材５のうち隣り合う２つのロック部材５は、それぞれ、他方のロック部材５とは反対側つまり外側に第１指掛け部５１を有している構成としてもよい。この構成によれば、例えば、右側のロック部材５は右手の指、左側のロック部材５は左手の指で操作することにより、２つのロック部材５を両手で操作しやすい。
【００４２】
また、図１５に例示するように、複数のインクカートリッジ４のうち隣り合う２つのインクカートリッジ４は、それぞれ、他方のインクカートリッジ４側つまり内側に第２指掛け部１４２を有している構成としてもよい。この構成によれば、ユーザは、２つのインクカートリッジ４を指一本で操作することが可能である。
【００４３】
また、図１６に例示するように、複数のインクカートリッジ４のうち隣り合う２つのインクカートリッジ４は、それぞれ、他方のインクカートリッジ４とは反対側つまり外側に第２指掛け部１４２を有している構成としてもよい。例えば、右側のインクカートリッジ４は右手の指、左側のインクカートリッジ４は左手の指で操作することにより、２つのロック部材５を両手で操作しやすい。
【００４４】
また、図１７に例示するように、インクカートリッジ４は、第２指掛け部５２の第３方向、この場合、左右方向に沿う寸法Ｓ３が第１指掛け部５１の第３方向に沿う寸法Ｓ４よりも大きくした構成としてもよい。この構成によれば、ユーザは、より大きく形成されている第２指掛け部５２に親指を掛けやすく、従って、キャリッジ３からのインクカートリッジ４の取り外しを一層容易に行うことができる。なお、図示は省略するが、インクカートリッジ４は、第１指掛け部５１の第３方向に沿う寸法が第２指掛け部５２の第１向きに沿う寸法よりも大きくした構成としてもよい。
【００４５】
また、図１８のパターンＡ〜Ｆに例示するように、画像形成装置１は、複数のロック部材５を備える場合には、第１指掛け部５１は、複数のロック部材５のうち少なくとも何れか１つに設け、第２指掛け部５２は、複数のロック部材５のうち少なくとも何れか１つに設けた構成としてもよい。
【００４６】
また、図１９に例示するように、複数のロック部材５のうち隣り合う２つのロック部材５は、それぞれ、他方のロック部材５側つまり内側に第２指掛け部５２を有している構成としてもよい。この構成によれば、ユーザは、２つのロック部材５を指一本で操作することが可能である。
【００４７】
また、図２０に例示するように、複数のロック部材５のうち隣り合う２つのロック部材５は、それぞれ、他方のロック部材５とは反対側つまり外側に第２指掛け部５２を有している構成としてもよい。この構成によれば、例えば、右側のロック部材５は右手の指、左側のロック部材５は左手の指で操作することにより、２つのロック部材５を両手で操作しやすい。
【００４８】
なお、指掛け部は、取り外し可能に構成してもよい。
【符号の説明】
【００４９】
１：画像形成装置、３：キャリッジ、４：インクカートリッジ（液体貯留部）、４ａ：カートリッジ本体部、４ｂ：カートリッジ蓋部、５：ロック部材（係合部材）、４２：第２指掛け部、５１：第１指掛け部、５２：第２指掛け部、１４２：第２指掛け部
【図１】
2020163712.tif 000003
【図２】
2020163712.tif 000004
【図３】
2020163712.tif 000005
【図４】
2020163712.tif 000006
【図５】
2020163712.tif 000007
【図６】
2020163712.tif 000008
【図７】
2020163712.tif 000009
【図８】
2020163712.tif 000010
【図９】
2020163712.tif 000011
【図１０】
2020163712.tif 000012
【図１１】
2020163712.tif 000013
【図１２】
2020163712.tif 000014
【図１３】
2020163712.tif 000015
【図１４】
2020163712.tif 000016
【図１５】
2020163712.tif 000017
【図１６】
2020163712.tif 000018
【図１７】
2020163712.tif 000019
【図１８】
2020163712.tif 000020
【図１９】
2020163712.tif 000021
【図２０】
2020163712.tif 000022